(57)【要約】【課題】  本発明は、親指を使用しなくても握り押ボタン式子機を様々な方法で操作できるようにする。【解決手段】  握り押ボタン式子機１００の胴部１０２の外面から離れて配置された可撓性を有する把持部１０の端部１４に押ボタン１０１を越えて一対の支持部３０が形成され、この一対の支持部３０を結んで形成された引張部４０を押ボタン１０１の押し込み方向Ｐの逆の方向Ｈに引っ張ることで把持部１０を接近させ、レバー部２０が押ボタン１０１を押圧するようにしているので、入院者は、引張部４０を引くだけで押ボタン１０１を操作することができ、押ボタン１０１を押下したり、把持部１０を握ったり、引張部４０を引っ張ったりなどの様々な方法で押ボタン式子機１００を操作することができる。【選択図】        図１
2007195836.tif 000002
【特許請求の範囲】
【請求項１】
ナースコール装置に接続される握り押ボタン式子機に装着されて押ボタンの操作を介助するアタッチメントであって、
前記握り押ボタン式子機の胴部の外面から離れて配置されて前記押ボタンの押し込み方向に対して交差して前記胴部に向かう方向へ可撓性を有する把持部と、
前記把持部の前記押ボタンの押し込み方向と反対の方向の端部に形成され、前記押ボタンを挟む両側に設けられる一対の支持部と、
前記押ボタンを越えて前記支持部を結び、前記押ボタンの押し込み方向と交差して前記胴部に向かう方向へ前記把持部が接近することで、前記押ボタンを押圧するレバー部と、
前記一対の支持部を結び、前記押ボタンの押し込み方向の逆の方向に引っ張ることで前記把持部を接近させる引張部と、
を備える握り押ボタン用アタッチメント。
【発明の詳細な説明】
【技術分野】
【０００１】
本発明は、ナースコール装置に接続される握り押ボタン式子機に装着される握り押ボタン用のアタッチメントに関する。
【背景技術】
【０００２】
ナースコール装置に接続される握り押ボタン式子機は、必要に応じて看護者を呼び出せるように入院者に個別に割り当てられている。握り押ボタン式子機は、掌に納まる胴部と、この胴部の端部に設けられた押ボタンとを有している。したがって、握り押ボタン式子機を片手で操作する場合、押ボタンは、親指で操作される。
【０００３】
ところで、把持力が弱い入院者のために、握り押ボタン式子機を掌の中に保持しておくためのナースコールホルダが特許文献１に開示されている。このナースコールホルダを装着した握り押ボタン式子機は、親指で押ボタンを操作するように構成されている。
【特許文献１】特開２００５−５８４５５号公報
【０００４】
しかしながら、前述した特許文献１を含む従来の技術では、握り押ボタン式子機を操作する際に、親指などで押ボタンを押すことで操作しなければならず、様々な操作に対応することが困難になってしまうという問題点があった。
【発明の開示】
【発明が解決しようとする課題】
【０００５】
本発明は、このような問題を解決するために成されたものであり、親指を使用しなくても握り押ボタン式子機を様々な方法で操作できるようにすることを目的とする。
【課題を解決するための手段】
【０００６】
本発明に係る握り押ボタン用のアタッチメントは、握り押ボタン式子機の胴部の外面から離れて配置された可撓性を有する把持部の端部に押ボタンを越えて一対の支持部が形成され、この一対の支持部を結んで形成された引張部を押ボタンの押し込み方向の逆の方向に引っ張ることで把持部を接近させ、レバー部が押ボタンを押圧するようにしている。
【発明の効果】
【０００７】
上記のように構成した本発明によれば、引張部を押ボタンの押し込み方向の逆の方向に引っ張ることで把持部が互に接近し、押ボタンがレバー部により押下されるので、入院者などは、引張部を引くだけで押ボタンを操作することができる。したがって、押ボタン式子機の押ボタンを押下したり、把持部を握ったり、引張部を引っ張ったりなどの様々な方法で操作することができる。
【発明を実施するための最良の形態】
【０００８】
以下、本発明の一実施形態を図面に基づいて説明する。図１は、本実施形態によるアタッチメント１の構成例を示す断面図である。このアタッチメント１は、握り押ボタン式子機１００に装着される。ここで、握り押ボタン式子機１００は、ナースコール装置に接続される子機の一形態である。また、握り押ボタン式子機１００は、押ボタン１０１と胴部１０２とコード１０３とを備えており、胴部１０２は、基部１０２ａと先端部１０２ｂとを備えている。
【０００９】
胴部１０２は、利用者が握りやすいように、かつ、清拭性を考慮して、滑らかな外形を有している。押ボタン１０１は、コード１０３が延びる基部１０２ａに対して反対側の先端部１０２ｂに表面を露出している。ここで、押ボタン１０１は、先端部１０２ｂから基部１０２に向かって押ボタン１０１を押し込むことにより操作可能である。また、押ボタン１０１を押し込んでいない状態では、押ボタン１０１の取り付け位置に設けたバネなどにより押ボタン１０１は、元の位置に戻るようになっている。
【００１０】
アタッチメント１は、特に、入院者が握り押ボタン式子機１００に設けられる押ボタン１０１を操作することを介助するためのものである。また、アタッチメント１は、把持部１０とレバー部２０と支持部３０と引張部４０とを備える。なお、把持部１０とレバー部２０と支持部３０と引張部４０とは一体的に形成されていても良いし、別体として形成されていても良い。
【００１１】
把持部１０は、基部１０２ａ側で握り押ボタン式子機１００に固定され、押ボタン１０１側まで隙間を有したまま胴部１０２に沿って基部１０２ａから一対に延びている。また、把持部１０は、握り押ボタン式子機１００の押ボタン１０１を押し込む方向Ｐに対して交差して胴部１０２へ向かう方向Ｇへ十分な可撓性を有している。また、把持部１０の外面には、滑り止めのための凹部１１が複数設けられている。
【００１２】
また、把持部１０の基部１０２ａ側には、握り押ボタン式子機１００をアタッチメント１に固定する固定端１２が設けられている。把持部１０の固定端１２の内部は、握り押ボタン式子機１００の外形に沿ってすり鉢形状に形成されている。また、把持部１０の間を通るスリット１３が固定端１２に設けられている。このスリット１３は、握り押ボタン式子機１００をアタッチメント１に着脱する際に、コード１０３を通すためのものである。
【００１３】
レバー部２０は、押ボタン１０１に対して押し込む方向Ｐと反対の方向へ一対に延びた把持部１０の端部１４に設けられる連結部１５で把持部１０と一体に成形されている。また、レバー部２０は、押ボタン１０１を越える位置に保持され、中央部が押ボタン１０１に当接している。また、レバー部２０は、第１のアーム２１と第２のアーム２２とで構成されている。第１のアーム２１と第２のアーム２２とは、それぞれ連結部１５を中心に押ボタン１０１に向かって回動可能である。また、第１のアーム２１は先端部分の断面形状が凹状の凹形状部２１ａとなっており、第２のアーム２２は先端部分の断面形状が凸状の凸形状部２２ａとなっている。これにより、第１のアーム２１と第２のアーム２２とは、中央部で抜脱可能に連結される。
【００１４】
また、第１のアーム２１と第２のアーム２２とは、それぞれ連結部１５から直線的に押ボタン１０１に向かって延びている。ここで、第１のアーム２１と第２のアーム２２とが連結された結合部２０ａは、第１のアーム２１及び第２のアーム２２がそれぞれ回動する中心軸と平行な軸を中心に屈曲することが可能である。この結合部２０ａは、連結部１５を結ぶ線分Ａよりも押ボタン１０１側に偏った位置に配置される。
【００１５】
支持部３０は、押ボタン１０１に対して押し込む方向Ｐと反対の方向へ一対に延びた把持部１０の端部１４に設けられ、連結部１５を結ぶ線分Ａよりも押ボタン１０１の反対側に突出して配置される。
【００１６】
引張部４０は、少なくとも一対の支持部３０を結ぶ長さよりも長い線状部材（例えば、ひもやチェーン、テープなど）により形成されており、その一端が一方の支持部３０の突出した部分に取り付けられ、他端が他方の支持部３０の突出した部分に取り付けられている。ここで、本実施形態では、引張部４０を押ボタン１０１に対して押し込む方向Ｐと反対の方向に引っ張る動作を容易にするために、引張部４０の略中間地点に引っ張り補助部（例えば、引きひもなど）５０を取り付けている。
【００１７】
なお、本実施形態では、引張部４０及び引っ張り補助部５０は、ひもなどの線状部材を用いているが、これに限定されない。例えば、引張部４０と引っ張り補助部５０との結合部及び引張部４０と支持部３０との結合部が自在に動くようにしてあれば、引張部４０や引っ張り補助部５０は、硬質の材料により形成されていても良い。
【００１８】
以上のように構成されたアタッチメント１の把持部１０を外側から握り、把持部１０を押ボタン１０１の押し込む方向Ｐと交差して胴部１０２へ向かう方向Ｇへ接近させることで、レバー部２０の第１のアーム２１と第２のアーム２２とが互に突っ張りあい、結合部２０ａは、押ボタン１０１を押し込む方向Ｐへ付勢される。
【００１９】
一方、アタッチメント１の引っ張り補助部５０を押ボタン１０１に対して押し込む方向Ｐと反対の方向Ｈに引っ張ると、引張部４０の端部を互いに接近させる方向Ｉに付勢力が働く。これにより、把持部１０を外側から握る場合と同様、把持部１０が押ボタン１０１の押し込む方向Ｐと交差して胴部１０２へ向かう方向Ｇへ接近し、レバー部２０の第１のアーム２１と第２のアーム２２とが互に突っ張りあい、結合部２０ａは、押ボタン１０１を押し込む方向Ｐへ付勢される。
【００２０】
したがって、握り押ボタン式子機１００にこのアタッチメント１が装着されていれば、入院者は、把持部１０を握ったり引っ張り補助部５０を引っ張ったりすることで、押ボタン１０１を親指で押すのと同じように操作することができ、押ボタン式子機の押ボタンを様々な方法で操作することができる。また、本実施形態のアタッチメント１は、構造も簡単であり、安価に製造することができる。
【００２１】
アタッチメント１の材料としては、第１のアーム２１及び第２のアーム２２が支持部１５を支点に繰り返し折曲げられること、把持部１０が十分な可撓性を維持できること、引張部４０が十分な強度を持っていることを考慮した材料、かつ、アルコールで溶解することなく、薬品によって劣化し難い材料が望ましい。具体的には、ポリエチレン、ポリプロピレン、ポリエチレンビニル等が良い。また、上記したポリエチレン、ポリプロピレン、ポリエチレンビニル等の材料に蓄光性を持つ材料を混ぜることで、アタッチメント１を夜間でも視認可能とすることができる。
【００２２】
なお、前述した実施形態では、第１のアーム２１及び第２のアームは、それぞれ連結部１５から直線的に押ボタン１０１に向かって延びているが、これに限定されない。例えば、第１のアームと第２のアームとが、押ボタン１０１の方向に湾曲して形成されていても良い。また、それ以外にもレバー部２０は、一対の把持部１０が接近する際に押ボタン１０１を押下するように動作するものであればどのような構成であっても良い。
【００２３】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００２４】
【図１】本実施形態によるアタッチメントを握り押ボタン式子機に装着した状態を示す断面図である。
【符号の説明】
【００２５】
１    アタッチメント
１０    把持部
２０    レバー部
３０    支持部
４０    引張部
５０    引っ張り補助部
【図１】
2007195836.tif 000003